(57)【要約】      （修正有）【課題】実用性を向上させることができるＵＳＢ充電ベースを提供する。【解決手段】ケーシングベース１０、回路モジュール及び防塵蓋３０を備え、ケーシングベースは、開口、収容空間、貫通孔、抜け防止部１２、外面及び対向する両端を備え、開口は、ケーシングベースの一端に設けられると共に、収容空間に連通し、収容空間は、ケーシングベースの内部に位置し、貫通孔は、収容空間に連通し、抜け防止部は、ケーシングベースの外面に突設され、回路モジュールは、回路基板、ＵＳＢソケット及びソケットを備え、回路基板は、収容空間に設けられ、ＵＳＢソケットは、ＵＳＢポートを備え、ＵＳＢソケットのＵＳＢポートは、開口に向いており、ソケットは、貫通孔の位置に対応し、ＵＳＢソケットとソケットは、回路基板に電気接続され、防塵蓋は、化粧板３１と保護板３２を備え、化粧板は、ケーシングベースに結合され、開口に隣接し、化粧板は、孔を備え、孔は、ＵＳＢポートの位置に対応し、保護板は、孔を覆い、化粧板に接続される。【選択図】図１
0003223195.tif 000002
【実用新案登録請求の範囲】
【請求項１】
ＵＳＢ充電ベースであって、該ＵＳＢ充電ベースは、ケーシングベース、回路モジュール及び防塵蓋を備え、
前記ケーシングベースは、開口、収容空間、貫通孔、１つ以上の抜け防止部、外面及び対向する両端を備え、該開口は、該ケーシングベースの一端に設けられると共に、該収容空間に連通し、該収容空間は、該ケーシングベースの内部に位置し、該貫通孔は、該収容空間に連通し、該１つ以上の抜け防止部は、該ケーシングベースの外面に突設され、
前記回路モジュールは、１つ以上の回路基板、ＵＳＢソケット及びソケットを備え、該１つ以上の回路基板は、前記収容空間に設けられ、該ＵＳＢソケットは、１つ以上のＵＳＢポートを備え、該ＵＳＢソケットの１つ以上のＵＳＢポートは、前記開口に向いており、該ソケットは、前記貫通孔の位置に対応するように設けられ、該ＵＳＢソケットと該ソケットは、該１つ以上の回路基板に電気接続され、
前記防塵蓋は、化粧板と保護板を備え、該化粧板は、前記ケーシングベースに結合され、且つ前記開口に隣接し、該化粧板は、１つ以上の孔を備え、該１つ以上の孔は、前記１つ以上のＵＳＢポートの位置に対応するように設けられ、該保護板は、該１つ以上の孔を覆い、且つ該化粧板に揺動可能に接続されることを特徴とする、ＵＳＢ充電ベース。
【請求項２】
前記ケーシングベースは、１つ以上の係合孔と、対向する両側面を備え、該２つの係合孔はそれぞれ、該ケーシングベースの両側面に設けられ、前記化粧板は、１つ以上の突出部を備え、該２つの突出部はそれぞれ、互いに逆の方向に延びており、該２つの突出部はそれぞれ該２つの係合部に係合されることを特徴とする、請求項１に記載のＵＳＢ充電ベース。
【請求項３】
前記化粧板は枢着部を備え、該枢着部は、該化粧板の一辺に設けられ、前記保護板は、２つの結合部を備え、該２つの結合部は、該保護板の一辺に間隔をおいて設けられ、前記防塵蓋は旋回軸を備え、該旋回軸は、該枢着部及び該２つの結合部を貫通することを特徴とする、請求項１又は２に記載のＵＳＢ充電ベース。
【請求項４】
前記化粧板は当接溝を備え、該当接溝は、前記枢着部に隣接し、前記保護板は当接部を備え、該当接部は、前記２つの結合部に隣接し、前記防塵蓋はねじりバネを備え、該ねじりバネは、前記旋回軸に外嵌され、且つ該枢着部と結合部の中間に位置し、該ねじりバネの両端はそれぞれ、該当接溝及び該当接部に当接することを特徴とする、請求項３に記載のＵＳＢ充電ベース。
【請求項５】
前記枢着部が円筒形であることを特徴とする、請求項４に記載のＵＳＢ充電ベース。
【請求項６】
前記保護板は凹面を備え、該凹面は、該保護板における、前記２つの結合部と反対の箇所に位置することを特徴とする、請求項５に記載のＵＳＢ充電ベース。
【請求項７】
前記防塵蓋がプラスチック材からなることを特徴とする、請求項６に記載のＵＳＢ充電ベース。
【請求項８】
前記枢着部が円筒形を呈することを特徴とする、請求項１又は２に記載のＵＳＢ充電ベース。
【請求項９】
前記保護板は凹面を備え、該凹面は、該保護板における、前記２つの結合部と反対の箇所に位置することを特徴とする、請求項８に記載のＵＳＢ充電ベース。
【考案の詳細な説明】
【技術分野】
【０００１】
本考案は電力を伝送する装置に関するものであり、特に車内に設置可能なＵＳＢ充電ベースを提供する。
【背景技術】
【０００２】
ＵＳＢ充電ベースは、電力を伝送する装置であり、現在の大部分の自動車には、運転者又は乗客の利便性を向上させるためにＵＳＢ充電ベースが設けられており、ＵＳＢ充電ベースは、長期にわたる改良を経て、様々な異なる形態を有するに至っている。例えば、図８に示すような従来のＵＳＢ充電ベースは、ＵＳＢソケット５０、回路モジュール６０、第１電源線７０、第２電源線８０及び防護蓋９０を備え、該ＵＳＢソケット５０は、パネル５１と２つのＵＳＢポート５２を有し、該第１電源線７０の両端に該ＵＳＢソケット５０と該回路モジュール６０がそれぞれ接続され、該第２電源線８０の両端に該回路モジュール６０と電源Ｐがそれぞれ接続され、該防護蓋９０は、ゴム材質からなり、該防護蓋９０は、該ＵＳＢソケット５０に結合され且つ該ＵＳＢポート５２を覆う。従って、前記第２電源線８０の一端を該電源Ｐに接続し、更に該第１電源線７０と第２電源線８０をそれぞれ自動車の内装内に隠す必要があった。
【０００３】
しかしながら、前記従来のＵＳＢ充電ベースの前記ＵＳＢソケット５０は、前記第１電源線７０を介して回路モジュール６０に接続する必要があることから、走行の振動が大きい場合に該第１電源線７０が脱落する可能性が高くなり、取り付けにおいても、該第１電源線７０を自動車の内装内に隠さなければならないため、大きな収容空間が必要となり、さらには線が絡まりやすいため時間的なコストを増大させてしまう。故に、従来のＵＳＢ充電ベースは、実用性において改良する余地がある。
【考案の概要】
【考案が解決しようとする課題】
【０００４】
本考案は、前記の課題を鑑みてなされたものであり、第１電源線を介して回路モジュールに接続しなければならず、走行時に振動すると、電源線が脱落してしまう可能性があり、また、取り付けが複雑で時間がかかるという課題を解決するために、本考案では、回路モジュールがＵＳＢソケットと回路基板を結合し、電源線で接続する必要がないことから、迅速に取り付けることができるので、全体的な取り付け及び使用にあたっての実用性を向上させることができるＵＳＢ充電ベースを提供することを目的としている。
【課題を解決するための手段】
【０００５】
本考案が技術的課題を解決するために提供するＵＳＢ充電ベースは、ケーシングベース、回路モジュール及び防塵蓋を備え、
前記ケーシングベースは、開口、収容空間、貫通孔、１つ以上の抜け防止部、外面及び対向する両端を備え、該開口は、該ケーシングベースの一端に設けられると共に、該収容空間に連通し、該収容空間は、該ケーシングベースの内部に位置し、該貫通孔は、該収容空間に連通し、該１つ以上の抜け防止部は、該ケーシングベースの外面に突設され、
前記回路モジュールは、１つ以上の回路基板、ＵＳＢソケット及びソケットを備え、該１つ以上の回路基板は、前記収容空間に設けられ、該ＵＳＢソケットは、１つ以上のＵＳＢポートを備え、該ＵＳＢソケットの１つ以上のＵＳＢポートは、前記開口に向いており、該ソケットは、前記貫通孔の位置に対応するように設けられ、該ＵＳＢソケットと該ソケットは、該１つ以上の回路基板に電気接続され、
前記防塵蓋は、化粧板と保護板を備え、該化粧板は、前記ケーシングベースに結合され、且つ前記開口に隣接し、該化粧板は、１つ以上の孔を備え、該１つ以上の孔は、前記１つ以上のＵＳＢポートの位置に対応するように設けられ、該保護板は、該１つ以上の孔を覆い、且つ該化粧板に揺動可能に接続される。
【０００６】
前記ＵＳＢ充電ベースは、１つ以上の係合孔と、対向する両側面を備え、該２つの係合孔はそれぞれ該ケーシングベースの両側面に設けられ、前記化粧板は、１つ以上の突出部を備え、該２つの突出部はそれぞれ互いに逆の方向に延びており、該２つの突出部はそれぞれ該２つの係合部に係合される。
【０００７】
前記ＵＳＢ充電ベースにおいて、前記化粧板は枢着部を備え、該枢着部は、該化粧板の一辺に設けられ、前記保護板は、２つの結合部を備え、該２つの結合部は、該保護板の一辺に間隔をおいて設けられ、前記防塵蓋は旋回軸を備え、該旋回軸は、該枢着部及び該２つの結合部を貫通する。
【０００８】
前記ＵＳＢ充電ベースにおいて、前記化粧板は当接溝を備え、該当接溝は、前記枢着部に隣接し、前記保護板は当接部を備え、該当接部は、前記２つの結合部に隣接し、前記防塵蓋はねじりバネを備え、該ねじりバネは、前記旋回軸に外嵌され、且つ該枢着部と該結合部の中間に位置し、該ねじりバネの両端はそれぞれ、該当接溝及び該当接部に当接する。
【０００９】
前記ＵＳＢ充電ベースは、前記枢着部が円筒形である。
【００１０】
前記ＵＳＢ充電ベースにおいて、前記保護板は凹面を備え、該凹面は、該保護板における、前記２つの結合部と反対の箇所に位置する。
【考案の効果】
【００１１】
本考案の技術的手段によって得られる効果や進歩した点は、以下のとおりである。
１．本考案のＵＳＢ充電ベースは、ＵＳＢソケットを回路基板に直接結合して、ＵＳＢソケットと回路基板を統合することから、電源線を用いて接続する必要がなく、走行の振動が大きい場合も、使用時に電源線の脱落による影響を受けることがなく、取り付けも比較的簡単で時間がかからない。
２．本考案のＵＳＢ充電ベースは、防塵蓋がプラスチック材からなることから、弾性疲労による脱落が発生しにくい上、最適な防塵及び防水の効果をもたらす。
３．本考案のＵＳＢ充電ベースは、防塵蓋の枢着部が円筒形を呈していることから、防護蓋を開ける際に制限されにくく、最大で１７５°まで揺動することができる。
４．本考案のＵＳＢ充電ベースは、回路モジュールの回路基板が改良されて、体積が小さくなっており、放熱効果も良好であることから、本考案のＵＳＢ充電ベースの耐用年数が延長される。
【図面の簡単な説明】
【００１２】
【図１】図１は、本考案の好ましい実施形態の前面視外観斜視図。
【図２】図２は、本考案の好ましい実施形態の後方視外観斜視図。
【図３】図３は、本考案の好ましい実施形態の構成部品を示す分解図。
【図４】図４は、本考案の好ましい実施形態の組み立て状態を示す断面図。
【図５】図５は、本考案の好ましい実施形態の一部の部品を示す分解図。
【図６】図６は、本考案の好ましい実施形態の使用状態を示す参考図。
【図７】図７は、本考案の好ましい実施形態と車内パネルとの結合状態を示す参考図。
【図８】図８は、従来のＵＳＢ充電ベースの外観斜視図。
【考案を実施するための形態】
【００１３】
本考案の技術的特徴及び実用的な効果を詳細に理解できるように、且つ考案の内容に従って実現できるように、図に示す好ましい実施形態によって、さらに以下のとおり詳細に説明する。
【００１４】
図１及び図２に示すように、本考案のＵＳＢ充電ベースは、ケーシングベース１０、該ケーシングベースの内部に設けられた回路モジュール２０、及び該ケーシングベースに結合された防塵蓋３０を備える。
【００１５】
図１〜図３に示すように、該ケーシングベース１０は長柱型を呈し、開口１１、１つ以上の抜け防止部１２、１つ以上の係合孔１３、収容空間１４、貫通孔１５、外面、対向する両端及び対向する両側面を備え、該開口１１は、該ケーシングベース１０の一端に位置し、該１つ以上の抜け防止部１２の好ましい実施形態は２つであり、該２つの抜け防止部１２は、該ケーシングベース１０の外面に突設され且つ該開口１１に隣接し、該１つ以上の係合孔１３の好ましい実施形態は２つであると共に、該２つの係合孔１３はそれぞれ、該ケーシングベース１０の両側面に設けられ且つ該開口１１に隣接し、該収容空間１４は、該ケーシングベースの内部に位置し、該貫通孔１５は、該ケーシングベース１０の他端に設けられ、且つ該貫通孔１５と開口１１はいずれも該収容空間１４と連通している。尚、本考案では、前記貫通孔１５を該ケーシングベース１０に設ける位置について特に限定していない。
【００１６】
図３及び図４に示すように、前記回路モジュール２０の規格寸法は、前記収容空間１４と対応しており、該回路モジュール２０は、１つ以上の回路基板２１、ＵＳＢソケット２２及びソケット２３を備え、該１つ以上の回路基板２１の好ましい実施形態は３つであり、該３つの回路基板２１は、該ケーシングベース１０の収容空間１４に挿設され、該ＵＳＢソケット２２は、該３つの回路基板２１のうちの１つの回路基板２１に固設されると共に、２つのＵＳＢポートを備え、該ＵＳＢソケット２２の２つのＵＳＢポートは、前記開口１１に向って設けられ、該ソケット２３は、３つの回路基板２１のうちの別の１つの回路基板２１に固設され、且つ前記貫通孔１５の位置に対応して設けられ、更に、該ＵＳＢソケット２２とソケット２３は、該１つ以上の回路基板２１に電気接続されている。尚、前記回路モジュール２０に設けられた、関連する回路構造については、従来技術に属し且つ本考案の重要なポイントではないため、ここで詳細な説明はしない。
【００１７】
図４及び図５に示すように、前記防塵蓋３０はプラスチック材からなり、化粧板３１、保護板３２、旋回軸３３及びねじりバネ３４を備え、該化粧板３１は、円形又は三角形等の様々な形状であり、図に示すように、矩形を呈すると共に、前記ケーシングベース１０に結合され、且つ前記開口１１に隣接し、１つ以上の孔３１１、１つ以上の突出部３１２、枢着部３１３及び当接溝３１４を備え、該１つ以上の孔３１１の好ましい実施形態は２つであり、該１つ以上の孔３１１は、前記ＵＳＢソケット２２の前記２つのＵＳＢポートの位置に対応して設けられ、該１つ以上の突出部３１２の好ましい実施形態は２つであると共に、該２つの突出部３１２はそれぞれ、互いに逆の方向に延びており、該２つの突出部３１２はそれぞれ、２つの係合孔１３に係合され、該枢着部３１３は、該化粧板３１の一辺に設けられると共に、丸みを帯びた円筒状を呈し、該当接溝３１４は、該枢着部３１３に隣接している。
【００１８】
図５および図６に示すように、前記保護板３２は、円形または三角形等の様々な形状であり、例えば図に示すように、該保護板３２は、矩形を呈し、前記２つの孔３１１を覆い、凹面３２１、２つの結合部３２２、当接部３２３及び対向する２つの辺を備え、該凹面３２１は、該保護板３２の一辺に設けられ、該２つの結合部３２２は、該保護板３２の他方の辺に間隔をおいて設けられ、前記旋回軸３３は、前記枢着部３１３及び該２つの結合部３２２を通って、該保護板３２を該化粧板３１に揺動可能に接続し、該当接部３２３は、該２つの結合部３２２に隣接し、前記ねじりバネ３４は、該旋回軸３３に外嵌され、該ねじりバネ３４は、該枢着部３１３と結合部３２２との中間に位置し、且つ該ねじりバネ３４の一端は、該化粧板３１の該当接溝３１４に当接すると共に、該ねじりバネ３４の他端は、該保護板３２の該当接部３２３に当接する。そのため、該保護板３２が自動的に閉まるという効果をもたらす。
【００１９】
図６に示すように、本考案の凹面３２１は、使用者が前記保護板３２を持ち上げやすくするための設計であり、さらに、前記枢着部３１３は、円形を呈し、該保護板３２は、円筒状の該枢着部３１３に規制されることなく、最大で１７５°まで揺動することができ、同時に前記ねじりバネ３４が前記化粧板３１及び保護板３２に当接し、該保護板３２を開放すると自動的に復位することから、手動で蓋を閉める必要がないので、使用者にとって使いやすく、且つ最適な防塵及び防水機能も発揮できる。
【００２０】
図７に示すように、本考案の前記ケーシングベース１０、前記回路モジュール２０及び前記防塵蓋３０は一体に結合され、車内のどの自動車パネル４０にも取り付けやすく、該自動車パネル４０の一面に、該ケーシングベース１０の寸法仕様に合致した形の孔を形成すれば、該ケーシングベース１０を挿入することにより、該ケーシングベース１０及び該防塵蓋３０を該自動車パネル４０に固定することができ、且つ前記２つの抜け防止部１２が該自動車パネル４０に当接して、該ケーシングベース１０が該自動車パネル４０から脱落するのを防止できる。さらに、本考案のＵＳＢソケットにおいて、回路モジュール２０は、該ＵＳＢソケット２２と回路基板２１とを統合していることから、電源コードで接続する必要がなく、走行の振動が大きい場合も、使用時に電源コードの脱落による影響を受けることがなく、且つ取り付けも比較的簡単で時間がかからない。
【符号の説明】
【００２１】
１０    ケーシングベース
１１    開口
１２    抜け防止部
１３    係合孔
１４    収容空間
１５    貫通孔
２０    回路モジュール
２１    回路基板
２２    ＵＳＢソケット
２３    ソケット
３０    防塵蓋
３１    化粧板
３１１    孔
３１２    突出部
３１３    枢着部
３１４    当接溝
３２    保護板
３２１    凹面
３２２    結合部
３２３    当接部
３３    旋回軸
３４    ねじりバネ
４０    自動車パネル
５０    ＵＳＢソケット
５１    パネル
５２    ＵＳＢポート
６０    回路モジュール
７０    第１電源線
８０    第２電源線
９０    防護蓋
Ｐ    電源
【図１】
0003223195.tif 000003
【図２】
0003223195.tif 000004
【図３】
0003223195.tif 000005
【図４】
0003223195.tif 000006
【図５】
0003223195.tif 000007
【図６】
0003223195.tif 000008
【図７】
0003223195.tif 000009
【図８】
0003223195.tif 000010
【手続補正書】
【提出日】令和1年7月16日(2019.7.16)
【手続補正１】
【補正対象書類名】実用新案登録請求の範囲
【補正対象項目名】請求項２
【補正方法】変更
【補正の内容】
【請求項２】
前記ケーシングベースは、２つの係合孔と、対向する両側面を備え、該２つの係合孔はそれぞれ、該ケーシングベースの両側面に設けられ、前記化粧板は、２つの突出部を備え、該２つの突出部はそれぞれ、互いに逆の方向に延びており、該２つの突出部はそれぞれ該２つの係合孔に係合されることを特徴とする、請求項１に記載のＵＳＢ充電ベース。
【手続補正２】
【補正対象書類名】実用新案登録請求の範囲
【補正対象項目名】請求項８
【補正方法】変更
【補正の内容】
【請求項８】
前記枢着部が円筒形を呈することを特徴とする、請求項３に記載のＵＳＢ充電ベース。
【手続補正３】
【補正対象書類名】明細書
【補正対象項目名】０００６
【補正方法】変更
【補正の内容】
【０００６】
前記ＵＳＢ充電ベースにおいて、前記ケーシングベースは、２つの係合孔と、対向する両側面を備え、該２つの係合孔はそれぞれ該ケーシングベースの両側面に設けられ、前記化粧板は、２つの突出部を備え、該２つの突出部はそれぞれ互いに逆の方向に延びており、該２つの突出部はそれぞれ該２つの係合孔に係合される。